(57)【特許請求の範囲】
【請求項１】
少なくとも屋根面の水下側の周縁部に、保水性を有する屋根材が敷設され、この屋根材が屋根面への通常の降雨量を保水するものとなされ、この屋根材の水下側には軒樋が配設されていないことを特徴とする屋根構造。
【請求項２】
屋根の先端にまで保水性を有する屋根材が敷設されている請求項１記載の屋根構造。
【請求項３】
屋根下地面の上に、保水性を有する複数の屋根材がほぼ面一に敷設され、この隣接する屋根材の水下側の両隅部が、屋根下地面に固定された固定具の水上側係止片にて係止されるとともに、この固定具の水下側係止片にて、前記屋根材の水下側に隣接している屋根材の水上側端部が係止されている請求項１または２記載の屋根構造。
【請求項４】
水上側係止片および水下側係止片が屋根材の水下側および水上側の両端面に設けられた溝内に係止されている請求項３記載の屋根構造。
【発明の詳細な説明】
【０００１】
【発明の属する技術分野】
本発明は、保水性を有する屋根材が敷設された建物の屋根構造に関する。
【０００２】
【従来の技術】
従来の建物の屋根は、たとえば野地板の表面にアスファルトフェルト製の防水シートを張って防水処理を施し、この防水シート上にスレート製の瓦などからなる屋根材を一部重ね合わせて敷設することで形成している。
【０００３】
ところで、この従来の屋根は、屋根材に雨水を保水させることを意図したものではなく、夏期において屋根表面が過熱するという問題がある。また、屋根材同志を一部重ね合わせて敷設しているので、屋根表面を面一に仕上げることができない。
【０００４】
また、降雨時、軒樋・竪樋を通じて排水される雨水が雨水管路を通じて河川などに流れ込み、洪水被害が発生する恐れがある。このため、たとえば団地などの多数の建物が集合して建てられる場合、その敷地内に調整池などの雨水処理施設を設けなければならない。
【０００５】
この従来の問題点を解消する屋根構造として、たとえば特開平１０−１９６０６１号公報において、防水処理を施した屋根下地面の上に、たとえば透水性タイルなどの保水性を有する屋根材を相互に重ねずに敷設した屋根構造が記載されている。
【０００６】
【発明が解決しようとする課題】
上記公報に記載の屋根構造は、横引きの受材の下に下地防水材として設置しているキーストンプレートが高価であるため、コスト的に高くなるという問題があった。また、保水性を有する屋根材を用いているにもかかわらず、従来の屋根と同様に、屋根の軒先に軒樋を配設し、この軒樋に竪樋を接続しているので、外観の見栄えが良くないという問題もある。
【０００７】
本発明の目的は、屋根表面を面一に仕上げることができるとともに、建物の外観の見栄えの良好な屋根構造を提供することである。
【０００８】
本発明の他の目的は、たとえば団地などの建物の屋根面に適用することで、その団地内から流出される大量の雨水を一時的に貯留する調整池などの雨水処理施設の必要性を小さくできる屋根構造を提供することである。
【０００９】
【課題を解決するための手段】
請求項１記載の本発明は、少なくとも屋根面の水下側の周縁部に、保水性を有する屋根材が敷設され、この屋根材が屋根面への通常の降雨量を保水するものとなされ、この屋根材の水下側には軒樋が配設されていない屋根構造である。
【００１０】
請求項２記載の本発明は、請求項１記載の屋根構造において、屋根の先端にまで保水性を有する屋根材が敷設されているものである。
【００１１】
請求項３記載の本発明は、請求項１または２記載の屋根構造において、屋根下地面の上に、保水性を有する複数の屋根材がほぼ面一に敷設され、この隣接する屋根材の水下側の両隅部が、屋根下地面に固定された固定具の水上側係止片にて係止されるとともに、この固定具の水下側係止片にて、前記屋根材の水下側に隣接している屋根材の水上側端部が係止されているものである。
【００１２】
請求項４記載の本発明は、請求項３記載の屋根構造において、水上側係止片および水下側係止片が屋根材の水下側および水上側の両端面に設けられた溝内に係止されているものである。
【００１３】
本発明における保水性を有する屋根材とは、その表面にて雨水を吸収し、この吸収した雨水をそのまま屋根材の内部に保持して保水する機能を有しているものである。このような屋根材として、たとえば多数の細孔を有する瓦、多孔質セラミック、多孔質タイル、多孔質煉瓦、多孔質ガラス、気泡コンクリート、ＡＬＣなどの連続気泡を有するもの、あるいは、合成樹脂の多孔質体、繊維の集積体などが用いられる。
【００１４】
屋根材の空隙率としては、３０〜８０％の範囲が好ましく、４０〜７０％の範囲がさらに好ましい。これは、空隙率が大きすぎると、屋根材の機械的強度が低下し、逆に、空隙率が小さすぎると、屋根材の保水性が低下するためである。また、屋根材の厚みとしては、１０〜１５０ｍｍの範囲が通常の降雨量を保水でき好ましい。
【００１５】
そして、本発明においては、保水性を有する屋根材は、少なくとも屋根面の水下側の周縁部に敷設されておればよく、好ましくは、屋根面全体に敷設するのが望ましい。屋根面全体での保水量としては、３〜７０ｍｍ／日の範囲が好ましく、５〜５０ｍｍ／日の範囲がさらに好ましい。なぜなら、たとえば東京の年平均降水量は５ｍｍ／日以下であるからである。
【００１６】
【作用】
請求項１記載の本発明の屋根構造では、少なくとも屋根面の水下側の周縁部に、屋根面への通常の降雨量を保水することができる保水性を有する屋根材が敷設されているので、屋根材が雨水を保水することで雨水が軒先から落下せず、その熱容量が増大し、屋根の保温や断熱性が向上する。そして、屋根材の内部に保水された水分が蒸発する際に気化熱を奪うので、屋根の過熱を防止することができる。
【００１７】
また、屋根材の水下側には軒樋が配設されておらず、しかも、そのため、建物の外壁に沿って竪樋も存在していないので、建物の外観の見栄えは損なわれず、美しいものになる。
【００１８】
請求項２記載の本発明の屋根構造では、屋根の先端にまで保水性を有する屋根材が屋根の先端にまで敷設されているので、屋根材全体で保水される雨水の量もかなり多くなるとともに、屋根の先端から雨水が落下しないものとなる。
【００１９】
請求項３記載の本発明の屋根構造では、保水性を有する複数の屋根材が屋根下地面の上にほぼ面一に敷設されているので、屋根面の見栄えが良好であり、また、屋根材全体で保水される雨水の量もかなり多くなる。このため、建物から地上の雨水管路に流れ込む雨水量を低減することができ、河川の増水による氾濫や下水処理場での処理負荷の増大を防止できる。
【００２０】
また、隣接する屋根材の水下側の両隅部が、屋根下地面に固定された固定具の水上側係止片にて係止され、かつ、固定具の水下側係止片にて、屋根材の水下側に隣接している屋根材の水上側端部が係止されているので、一枚の屋根材はその外周縁部の３個所にて係止・固定されている。このため、強風による屋根材の吹き飛びを防止できる。
【００２１】
請求項４記載の本発明の屋根構造では、固定具の水上側係止片および水下側係止片が屋根材の水下側および水上側の両端面に設けられた溝内に係止されているので、固定具の両係止片が屋根材の表面に露出しない。このため、屋根面の見栄えはより一層良好となる。
【００２２】
【発明の実施の形態】
以下、本発明の実施の形態を図面を参照して説明する。
図１は本発明の屋根構造の第１実施例を示す部分説明図、図２は図１の要部を示す拡大断面図である。
【００２３】
１は住宅であり、保水性を有する屋根材２で葺かれた屋根１０を有している。具体的には、図２に示すように、屋根下地面である野地板１１の上にアスファルトフェルト製の防水シート１２が張られて防水処理がなされている。この防水シート１２上に、複数の屋根材２が互いに重なることなく千鳥状に一文字葺きされてほぼ面一に敷設され、２種類のステンレス製の固定具３，４にて固定されている。隣接する屋根材２間の目地幅は約３ｍｍである。屋根１０の軒先側には、図１に示すように、軒樋は配設されていない。
【００２４】
屋根材２は多孔質セラミック製の板状体であり、その水上側および水下側の両端面には全長にわたって係止溝２１が設けられている。係止溝２１は、幅５ｍｍ，深さ１３ｍｍである。屋根材２の大きさは、縦１３０ｍｍ，横６０５ｍｍ、厚み５０ｍｍである。屋根材２の空隙率は約５０〜６０％である。
【００２５】
固定具３は、屋根面の軒先端側に敷設される屋根材２を固定するためのものであり、図３（ａ）〜（ｃ）に示すように、長方形状の取付片３１と、この取付片３１の長辺側の中央から一体に延設された断面略コ字状の係止片３２とからなっている。係止片３２はその上部がＶ字状に屈曲されており、この屈曲部３２１はばね弾性を有している。取付片３１の長辺側の端部３１１は、図３（Ｃ）に示すように、下方にＬ字状に屈曲されている。取付片３１の長手方向の両側にはビス孔３３が設けられている。このビス孔３３の周縁部はすり鉢状の錐面３４とされている。
【００２６】
固定具４は、上記軒先端側に敷設される屋根材２以外の屋根材２を固定するためのものであり、図４（ａ）〜（ｃ）に示すように、ほぼ正方形状の取付片４１と、この取付片４１のほぼ中央から立設された２組のＬ字状の係止片４２，４３とからなっている。両端側に位置している２個の係止片４３は、屋根材２の水上側端部を固定するものであり、一方、中央部寄りに位置している２個の係止片４２は、屋根材２の水下側端部を固定するものである。両係止片４２，４３の上部はともにＶ字状に屈曲されており、この両屈曲部４２１，４３１はばね弾性を有している。取付片４１の長辺側の端部４１１は、図４（Ｃ）に示すように、下方にＬ字状に屈曲されている。係止片４２側の取付片４１の長手方向の両側には、上記固定具３と同一のビス孔４４が設けられ、このビス孔４４の周縁部はすり鉢状の錐面４５とされている。
【００２７】
つぎに、固定具３，４を用いて、屋根面に屋根材２を敷設する方法を図５および図６に基づいて説明する。
【００２８】
（１）まず、図５に示すように、防水処理が施された屋根下地面１１に所定の間隔をおいて複数の固定具３をステンレス製のビス５にて固定する。この各固定具３の係止片３２の屈曲部３２１に、隣接する屋根材２の水下側の両隅部に存在している両係止溝２１，２１を引っ掛けて係止させ、軒先に沿って複数の屋根材２を配置する。
【００２９】
（２）つぎに、図６に示すように、軒先に沿って配置した各屋根材２の水上側端部のほぼ中央下方に固定具４の取付片４１を差し込むとともに、固定具４の水下側の両係止片４３，４３の屈曲部４３１，４３１を各屋根材２の水上側端面の係止溝２１に差し込んで係止させる。この状態で、固定具４の水上側の取付片のビス孔を利用してステンレス製のビス５にて各固定具４を屋根下地面１１に固定する。
【００３０】
（３）そして、この各固定具４の水上側の両係止片４２，４２の屈曲部４２１，４２１に、軒棟方向に隣接する屋根材２の水下側の両隅部に存在している両係止溝２１，２１を引っ掛けて係止させ、複数の屋根材２を配置する。
【００３１】
（４）さらに、上記（２）〜（３）と同一の作業を軒棟方向に沿って繰り返していくことで、屋根下地面１１の全体への屋根材２の敷設・固定を完了することで、図１に示した屋根構造が得られる。
【００３２】
上記実施例の屋根構造では、屋根材２が保水性を有するものであるから、屋根材２が雨水を吸収するので軒先から雨水が落下しない。また、雨水などを吸収して保水すると屋根材の熱容量が増大し、屋根の保温や断熱性などが向上するとともに、夏期において屋根が加熱されると、屋根材２の内部に保水されている水分が蒸発する際に気化熱を奪うので、屋根の過熱を防止することができる。このため、小屋裏も過熱されることがない。また、屋根の軒先に軒樋が配設されていないので、建物の外観が美しいものになっている。
【００３３】
また、本実施例の屋根３は、屋根材１と防水材３１との間に約３ｍｍ程度の隙間が存在しているので、この隙間が野地板１１の上に敷設した防水シート１２の不陸を吸収して、屋根材１をほぼ面一に敷設することができる。
【００３４】
屋根材２の溝２１を固定具３，４の係止片３２，４２，４３の屈曲部３２１，４２１，４３１に引っ掛けるだけで屋根材２を係止でき、屋根材２の敷設施工が容易になる。そして、各屋根材２の溝の３箇所に、３個の固定具３の係止片３２，４２，４３が係止されているので、強風を受けても屋根材１が吹き飛ぶことがない。
【００３５】
上記実施例の屋根構造では、屋根全面にわたって、保水性を有する屋根材２を敷設した例を示したが、この屋根材２は少なくとも屋根面の水下側に横方向に隣接して敷設されておればよい。
【００３６】
また、隣接する屋根材の水上側の両隅部が、屋根下地面に固定した固定具の水下側係止片にて係止するとともに、この固定具の水上側係止片にて、屋根材の水上側に隣接している屋根材の水下側端部を係止するようにしてもよい。なお、軒先端側に位置している各屋根材の水下側端部は、３個の固定具にて係止・固定されることになる。
【００３７】
このようにすると、各屋根材は実質的に６個の固定具にて係止・固定されることになるので、屋根材の固定強度は大幅に増大する。
なお、本発明においては、集中豪雨や台風のときには、屋根材では保水しきれずに軒先から雨水が落下するが、このような時には、雨水が軒先から落下しても問題とはならず、屋根の強度保持にもなる。
【００３８】
【発明の効果】
請求項１ないし４記載の本発明では、屋根面の水下側の周縁部に、屋根面への通常の降雨量を保水することができる保水性を有する屋根材が敷設されているので、雨水が軒先から落下せず便利であり、屋根材が雨水を保水することでその熱容量が増大し、屋根の保温や断熱性が向上する。そして、屋根材の内部に保水された水分が蒸発する際に気化熱を奪うことになるので、屋根の過熱を防止することができる。
【００３９】
また、屋根材の水下側に軒樋が存在しておらず、かつ、建物の外壁に沿って竪樋も存在していないので、建物の外観の見栄えが良好である。
【００４０】
請求項２または３記載の本発明の屋根構造では、屋根の先端にまで保水性を有する屋根材が屋根の先端にまで敷設されているので、屋根材全体で保水される雨水の量もかなり多くなる。このため、建物から雨水管路に流れ込む雨水量を低減することができ、河川の増水による氾濫や処理施設の負荷増大を防止できる。たとえば団地などの建物の屋根面に適用した場合、その団地内から流出する大量の雨水を一時的に貯留する調整池などの処理施設の必要性を小さくできる。
【００４１】
請求項３または４記載の本発明の屋根構造では、保水性を有する複数の屋根材が屋根下地面の上にほぼ面一に敷設されているので、屋根面の見栄えが良好である。
【００４２】
また、隣接する屋根材の水下側の両隅部が、屋根下地面に固定された固定具の水上側係止片にて係止され、かつ、固定具の水下側係止片にて、屋根材の水下側に隣接している屋根材の水上側端部が係止されているので、一枚の屋根材はその外周縁部の３個所にて係止・固定されている。このため、強風による屋根材の吹き飛びを防止できる。
【００４３】
請求項４記載の本発明の屋根構造では、固定具の水上側係止片および水下側係止片が屋根材の水下側および水上側の両端面に設けられた溝内に係止されているので、固定具の両係止片が屋根材の表面に露出しない。このため、屋根面の見栄えはより一層良好となる。
【図面の簡単な説明】
【図１】本発明の屋根構造の第１実施例を示す部分説明図である。
【図２】図１の要部を示す拡大断面図である。
【図３】図２における屋根材を固定する固定具を示す平面図，右側面図および断面図である。
【図４】図２における屋根材を固定する他の固定具を示す平面図，右側面図および断面図である。
【図５】図３の固定具を用いて屋根材を固定する方法を示す説明図である。
【図６】図４の固定具を用いて屋根材を固定する方法を示す説明図である。
【図７】屋根材の固定状態を示す拡大断面図である。
【符号の説明】
１    住宅
１０  屋根
１１  野地板
１２  防水シート
２  屋根材
２１  係止溝
３，４  固定具
３１，４１  取付片
３２，４２，４３  係止片
３２１，４２１，４３１  Ｖ字状の屈曲部
３３，４４  ビス孔
【図１】
0003634240.tif 000002
【図２】
0003634240.tif 000003
【図３】
0003634240.tif 000004
【図４】
0003634240.tif 000005
【図５】
0003634240.tif 000006
【図６】
0003634240.tif 000007
【図７】
0003634240.tif 000008